【手続補正書】
【提出日】平成25年8月6日(2013.8.6)
【手続補正１】
【補正対象書類名】特許請求の範囲
【補正対象項目名】全文
【補正方法】変更
【補正の内容】
【特許請求の範囲】
【請求項１】
観察照明下における印刷物をモニタ上で再現するソフトプルーフ処理を行う画像処理装置であって、
複数色が印刷されたサンプル印刷物について、色毎の光沢成分として前記観察照明の正反射と、色毎の拡散成分として前記観察照明の拡散反射と、色毎の変角反射特性とを保持する光沢特性保持手段と、
前記保持された色毎の変角反射特性のそれぞれに対する評価値を保持する評価値保持手段と、
前記観察照明の強度分布を保持する照明強度分布保持手段と、
前記光沢特性保持手段から、前記評価値保持手段に保持された評価値に対応する代表色のそれぞれについての変角反射特性を取得し、該変角反射特性のそれぞれに応じたローパスフィルタを生成する代表色ローパスフィルタ生成手段と、
前記代表色のそれぞれについて、前記照明強度分布保持手段に保持された前記観察照明の強度分布に対して該代表色に対応する前記ローパスフィルタを用いたフィルタ処理を行うことによって、該代表色に対する前記観察照明の写り込み強度分布を示すマップを算出するマップ算出手段と、
プルーフ対象画像の画素毎に、前記評価値保持手段から該画素の色に応じた評価値を取得し、前記代表色のそれぞれについての前記マップ上における該画素に対応する位置の写り込み強度を該評価値に基づいて補間することで、該画素に対する前記観察照明の写り込み強度を算出する強度算出手段と、
前記プルーフ対象画像の画素毎に、前記光沢特性保持手段から該画素の色に応じた光沢成分および拡散成分を取得し、該光沢成分と該拡散成分の差分に前記写り込み強度を乗じることでプルーフ光沢成分を算出し、該プルーフ光沢成分に前記拡散成分を加算することで該画素のプルーフ色を算出するプルーフ色算出手段と、
前記プルーフ対象画像の画素毎に、前記プルーフ色を前記モニタ用の信号値に変換して表示画像を生成する表示画像生成手段と、
を有することを特徴とする画像処理装置。
【請求項２】
さらに、前記照明強度分布保持手段に保持された前記観察照明の強度分布に応じて前記プルーフ対象画像の印刷物を観察する際の仮想環境を生成する仮想環境生成手段と、
前記プルーフ対象画像の画素毎に、前記仮想環境における視線方向ベクトルの正反射ベクトルを取得する取得手段と、を有し、
前記強度算出手段は、前記代表色のそれぞれについての前記マップにおける、前記プルーフ対象画像の画素に対応する位置を、前記正反射ベクトルに基づいて決定することを特徴とする請求項１に記載の画像処理装置。
【請求項３】
観察照明下における印刷物をモニタ上で再現するためのプルーフ画像を生成する画像処理装置であって、
複数色が印刷されたサンプル印刷物について、色毎の光沢成分として前記観察照明の正反射と、色毎の拡散成分として前記観察照明の拡散反射と、色毎の変角反射特性を保持する光沢特性保持手段と、
前記保持された色毎の変角反射特性のそれぞれに対する評価値を保持する評価値保持手段と、
前記観察照明の強度分布を保持する照明強度分布保持手段と、
前記光沢特性保持手段から、前記評価値保持手段に保持された評価値に対応する代表色のそれぞれについての変角反射特性を取得し、プルーフ対象画像の画素毎に、前記評価値保持手段から該画素の色に応じた評価値を取得し、前記代表色のそれぞれについての前記変角反射特性を該評価値に基づいて補間することで、該画素の色に対する変角反射特性を算出する対象色変角反射特性算出手段と、
前記プルーフ対象画像の画素毎に、該画素の色に対する変角反射特性に応じたローパスフィルタを生成する対象色ローパスフィルタ生成手段と、
前記プルーフ対象画像の画素毎に、前記照明強度分布保持手段に保持された前記観察照明の強度分布に対して該画素の色に応じた前記ローパスフィルタを用いたフィルタ処理を行うことによって、該画素に対する前記観察照明の写り込み強度を算出する写り込み強度算出手段と、
前記プルーフ対象画像の画素毎に、前記光沢特性保持手段から該画素の色に応じた光沢成分および拡散成分を取得し、該光沢成分と該拡散成分の差分に前記写り込み強度を乗じることでプルーフ光沢成分を算出し、該プルーフ光沢成分に前記拡散成分を加算することで該画素のプルーフ色を算出するプルーフ色算出手段と、
前記プルーフ対象画像の画素毎に、前記プルーフ色を前記モニタ用の信号値に変換して表示画像を生成する表示画像生成手段と、
を有することを特徴とする画像処理装置。
【請求項４】
さらに、前記照明強度分布保持手段に保持された前記観察照明の強度分布に応じて前記プルーフ対象画像の印刷物を観察する際の仮想環境を生成する仮想環境生成手段と、
前記プルーフ対象画像の画素毎に、前記仮想環境における視線方向ベクトルの正反射ベクトルを取得する取得手段と、を有し、
前記強度算出手段は、前記プルーフ対象画像の画素に対応する前記照明強度分布保持手段に保持された前記観察照明の強度分布における位置を、前記正反射ベクトルに基づいて決定することを特徴とする請求項３に記載の画像処理装置。
【請求項５】
前記評価値は、変角反射特性の広がり度合いを示す半値幅であることを特徴とする請求項１乃至４のいずれか１項に記載の画像処理装置。
【請求項６】
観察照明下における印刷物をモニタ上で再現するためのプルーフ画像を生成する画像処理装置であって、
複数色が印刷されたサンプル印刷物について、色毎の光沢成分として前記観察照明の正反射と、色毎の拡散成分として前記観察照明の拡散反射と、色毎の変角反射特性とを保持する光沢特性保持手段と、
前記観察照明の強度分布を保持する照明強度分布保持手段と、
プルーフ対象画像の色域における複数の色を代表色として、前記光沢特性保持手段から該代表色についての変角反射特性を取得し、該変角反射特性に応じたローパスフィルタを生成する代表色ローパスフィルタ生成手段と、
前記代表色のそれぞれについて、前記照明強度分布保持手段に保持された前記観察照明の強度分布に対して前記ローパスフィルタを用いたフィルタ処理を行うことによって、該代表色に対する前記観察照明の写り込み強度分布を示すマップを算出し、該代表色と該マップとの関係を示すテーブルを生成するマップ算出手段と、
前記プルーフ対象画像の画素毎に、前記テーブルを参照して該画素の位置および色に対応する前記観察照明の写り込み強度を算出する強度算出手段と、
前記プルーフ対象画像の画素毎に、前記光沢特性保持手段から該画素の色に応じた光沢成分および拡散成分を取得し、該光沢成分と該拡散成分の差分に前記写り込み強度を乗じることでプルーフ光沢成分を算出し、該プルーフ光沢成分に前記拡散成分を加算することで該画素のプルーフ色を算出するプルーフ色算出手段と、
前記プルーフ対象画像の画素毎に、前記プルーフ色を前記モニタ用の信号値に変換して表示画像を生成する表示画像生成手段と、
を有することを特徴とする画像処理装置。
【請求項７】
光沢特性保持手段、評価値保持手段、照明強度分布保持手段、代表色ローパスフィルタ生成手段、マップ算出手段、強度算出手段、プルーフ色算出手段、および表示画像生成手段を有し、観察照明下における印刷物をモニタ上で再現するためのプルーフ画像を生成する画像処理装置における画像処理方法であって、
前記光沢特性保持手段は、複数色が印刷されたサンプル印刷物について、色毎の光沢成分として前記観察照明の正反射と、色毎の拡散成分として前記観察照明の拡散反射と、色毎の変角反射特性とを保持しており、
前記評価値保持手段は、前記光沢特性保持手段に保持された色毎の変角反射特性のそれぞれに対する評価値を保持しており、
前記照明強度分布保持手段は、前記観察照明の強度分布を保持しており、
前記代表色ローパスフィルタ生成手段が、前記光沢特性保持手段から、前記評価値保持手段に保持された評価値に対応する代表色のそれぞれについての変角反射特性を取得し、該変角反射特性のそれぞれに応じたローパスフィルタを生成する代表色ローパスフィルタ生成ステップと、
前記マップ算出手段が、前記代表色のそれぞれについて、前記照明強度分布保持手段に保持された前記観察照明の強度分布に対して該代表色に対応する前記ローパスフィルタを用いたフィルタ処理を行うことによって、該代表色に対する前記観察照明の写り込み強度分布を示すマップを算出するマップ算出ステップと、
前記強度算出手段が、プルーフ対象画像の画素毎に、前記評価値保持手段から該画素の色に応じた評価値を取得し、前記代表色のそれぞれについての前記マップ上における該画素に対応する位置の写り込み強度を該評価値に基づいて補間することで、該画素に対する前記観察照明の写り込み強度を算出する強度算出ステップと、
前記プルーフ色算出手段が、前記プルーフ対象画像の画素毎に、前記光沢特性保持手段から該画素の色に応じた光沢成分および拡散成分を取得し、該光沢成分と該拡散成分の差分に前記写り込み強度を乗じることでプルーフ光沢成分を算出し、該プルーフ光沢成分に前記拡散成分を加算することで該画素のプルーフ色を算出するプルーフ色算出ステップと、
前記表示画像生成手段が、前記プルーフ対象画像の画素毎に、前記プルーフ色を前記モニタ用の信号値に変換して表示画像を生成する表示画像生成ステップと、
を有することを特徴とする画像処理方法。
【請求項８】
コンピュータで実行されることにより、該コンピュータを請求項１乃至６のいずれか１項に記載の画像処理装置の各手段として機能させるためのプログラム。
【手続補正２】
【補正対象書類名】明細書
【補正対象項目名】０００９
【補正方法】変更
【補正の内容】
【０００９】
すなわち、観察照明下における印刷物をモニタ上で再現するソフトプルーフ処理を行う画像処理装置であって、
複数色が印刷されたサンプル印刷物について、色毎の光沢成分として前記観察照明の正反射と、色毎の拡散成分として前記観察照明の拡散反射と、色毎の変角反射特性とを保持する光沢特性保持手段と、
前記保持された色毎の変角反射特性のそれぞれに対する評価値を保持する評価値保持手段と、
前記観察照明の強度分布を保持する照明強度分布保持手段と、
前記光沢特性保持手段から、前記評価値保持手段に保持された評価値に対応する代表色のそれぞれについての変角反射特性を取得し、該変角反射特性のそれぞれに応じたローパスフィルタを生成する代表色ローパスフィルタ生成手段と、
前記代表色のそれぞれについて、前記照明強度分布保持手段に保持された前記観察照明の強度分布に対して該代表色に対応する前記ローパスフィルタを用いたフィルタ処理を行うことによって、該代表色に対する前記観察照明の写り込み強度分布を示すマップを算出するマップ算出手段と、
プルーフ対象画像の画素毎に、前記評価値保持手段から該画素の色に応じた評価値を取得し、前記代表色のそれぞれについての前記マップ上における該画素に対応する位置の写り込み強度を該評価値に基づいて補間することで、該画素に対する前記観察照明の写り込み強度を算出する強度算出手段と、
前記プルーフ対象画像の画素毎に、前記光沢特性保持手段から該画素の色に応じた光沢成分および拡散成分を取得し、該光沢成分と該拡散成分の差分に前記写り込み強度を乗じることでプルーフ光沢成分を算出し、該プルーフ光沢成分に前記拡散成分を加算することで該画素のプルーフ色を算出するプルーフ色算出手段と、
前記プルーフ対象画像の画素毎に、前記プルーフ色を前記モニタ用の信号値に変換して表示画像を生成する表示画像生成手段と、
を有することを特徴とする。